(57)【特許請求の範囲】
【請求項１】
遊技領域に配置された可動体と、
非励磁状態から励磁状態への切り替えによって前記可動体を駆動可能な電磁駆動手段と、
磁気を検知可能な磁気センサと、
前記磁気センサからの検知信号に基づいてエラー判定を行うエラー判定手段と
を備えた遊技機において、
前記磁気センサは、磁気の検知範囲を変更可能な可変磁気センサを含み、
遊技状態に応じて前記可変磁気センサにおける前記検知範囲を第１検知範囲とそれよりも狭い第２検知範囲とに切り替え可能に構成し、
前記電磁駆動手段は特定遊技状態中とそれ以外の所定遊技状態中とに作動可能であり、
前記特定遊技状態中は前記可変磁気センサの検知範囲を前記第２検知範囲に設定し、
前記エラー判定手段は、前記磁気センサからの検知信号が所定のエラー判定レベル以上である状態が所定時間継続した場合にエラーと判定するように構成し、
前記所定時間を、前記所定遊技状態中における前記電磁駆動手段の励磁継続時間よりも長く且つ前記特定遊技状態中における前記電磁駆動手段の励磁継続時間よりも短い時間に設定した
ことを特徴とする遊技機。
【請求項２】
前記電磁駆動手段が前記第１検知範囲内で且つ前記第２検知範囲外となるように前記可変磁気センサを配置し、
前記可変磁気センサの検知範囲を、前記特定遊技状態中は前記第２検知範囲に、前記特定遊技状態中以外は前記第１検知範囲に夫々設定する
ことを特徴とする請求項１に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機では、磁石を用いて遊技機外から行われる不正行為、いわゆる磁石ゴトに対処するべく、遊技領域内又はその近傍に磁気センサを搭載したものが多い（例えば特許文献１参照）。
【０００３】
ところで、開閉式入賞手段の開閉部材、その他の可動体を駆動する駆動手段としては、非励磁状態から励磁状態への切り換えによって動作する電磁ソレノイド等の電磁駆動手段が広く用いられている。しかしながら、電磁駆動手段の作動時には磁気が発生するため、磁気センサがその磁気に反応してエラーと判定され、誤ったエラー報知等が行われる可能性があった。
【先行技術文献】
【特許文献】
【０００４】
【特許文献１】特開２０１３−１４６３９４号公報
【発明の概要】
【発明が解決しようとする課題】
【０００５】
そのような電磁駆動手段の作動を原因とする誤ったエラー判定を回避するべく、従来は磁気センサを電磁駆動手段からある程度離して配置するなどの対策がとられていたが、磁気センサの配置等の自由度が制限されると共に、電磁駆動手段の近傍が磁気センサによる監視から外れてしまう等の問題があった。
【０００６】
本発明は上記事情に鑑みてなされたものであり、電磁駆動手段の作動を原因とする誤ったエラー判定を回避しつつ、磁気センサにより電磁駆動手段の近傍を含む領域を広く監視することが可能な遊技機を提供することを目的とする。
【課題を解決するための手段】
【０００７】
本発明は、遊技領域５ａに配置された可動体６３，８５と、非励磁状態から励磁状態への切り替えによって前記可動体６３，８５を駆動可能な電磁駆動手段６６，８６と、磁気を検知可能な磁気センサＭＳ１〜ＭＳ４と、前記磁気センサＭＳ１〜ＭＳ４からの検知信号に基づいてエラー判定を行うエラー判定手段１１９ａとを備えた遊技機において、前記磁気センサＭＳ１〜ＭＳ４は、磁気の検知範囲を変更可能な可変磁気センサＭＳ２，ＭＳ３を含み、遊技状態に応じて前記可変磁気センサＭＳ２，ＭＳ３における前記検知範囲を第１検知範囲Ｔ１とそれよりも狭い第２検知範囲Ｔ２とに切り替え可能に構成し、前記電磁駆動手段６６，８６は特定遊技状態中とそれ以外の所定遊技状態中とに作動可能であり、前記特定遊技状態中は前記可変磁気センサＭＳ２，ＭＳ３の検知範囲を前記第２検知範囲Ｔ２に設定し、前記エラー判定手段１１９ａは、前記磁気センサＭＳ２，ＭＳ３からの検知信号が所定のエラー判定レベル以上である状態が所定時間継続した場合にエラーと判定するように構成し、前記所定時間を、前記所定遊技状態中における前記電磁駆動手段６６，８６の励磁継続時間よりも長く且つ前記特定遊技状態中における前記電磁駆動手段６６，８６の励磁継続時間よりも短い時間に設定したものである。
【０００９】
この場合、前記電磁駆動手段６６，８６が前記第１検知範囲Ｔ１内で且つ前記第２検知範囲Ｔ２外となるように前記可変磁気センサＭＳ２，ＭＳ３を配置し、前記可変磁気センサＭＳ２，ＭＳ３の検知範囲を、前記特定遊技状態中は前記第２検知範囲Ｔ２に、前記特定遊技状態中以外は前記第１検知範囲Ｔ１に夫々設定してもよい。
【００１１】
また、前記可変磁気センサＭＳ２，ＭＳ３は印加電圧に応じて前記検知範囲が変化するように構成してもよい。
【発明の効果】
【００１２】
本発明によれば、電磁駆動手段の作動を原因とする誤ったエラー判定を回避しつつ、磁気センサにより電磁駆動手段の近傍を含む領域を広く監視することが可能である。
【図面の簡単な説明】
【００１３】
【図１】本発明の第１の実施形態に係るパチンコ機の全体正面図である。
【図２】同パチンコ機の前扉を外した状態の正面図である。
【図３】同パチンコ機の普通図柄始動手段及びその近傍の平面断面図である。
【図４】同パチンコ機の始動入賞ユニットの分解斜視図である。
【図５】同パチンコ機の始動入賞ユニット及びその近傍の側面断面図である。
【図６】同パチンコ機の始動入賞ユニット及びその近傍の正面断面図である。
【図７】同パチンコ機の大入賞ユニット及びその近傍の正面断面図である。
【図８】同パチンコ機の大入賞ユニット及びその近傍の側面断面図である。
【図９】同パチンコ機の普通入賞ユニット及びその近傍の側面断面図である。
【図１０】同パチンコ機の普通入賞ユニット及びその近傍の平面断面図である。
【図１１】同パチンコ機の制御系の概略ブロック図である。
【図１２】同パチンコ機の遊技状態毎の普通図柄の当たり確率及び変動時間、第２特別図柄始動手段の開閉パターンの一例を示す図である。
【図１３】同パチンコ機の第１，第２特別図柄についての大当たり判定及び外れ判定の場合の大当たり判定乱数値、大当たり図柄乱数値、特別利益状態及び特別遊技状態の対応関係の一例を示す図である。
【図１４】同パチンコ機の各磁気センサの磁気検知範囲と電磁ソレノイドとの位置関係を示す図である。
【図１５】同パチンコ機の各磁気センサとそれらの磁気検知範囲内に存在する電磁ソレノイドとの対応関係を示す図である。
【図１６】同パチンコ機の磁気検出エラー判定処理のフローチャートを示す図である。
【図１７】本発明の第２の実施形態に係るパチンコ機の磁気検出エラー判定処理のフローチャートを示す図である。
【図１８】本発明の第３の実施形態に係るパチンコ機の大入賞ユニット及びその近傍の正面断面図である。
【図１９】同パチンコ機の各磁気センサの磁気検知範囲と電磁ソレノイドとの位置関係を示す図である。
【図２０】同パチンコ機の各磁気センサとそれらの磁気検知範囲内に存在する電磁ソレノイドとの対応関係を示す図である。
【図２１】同パチンコ機の磁気検出エラー判定処理のフローチャートを示す図である。
【図２２】本発明の第４の実施形態に係るパチンコ機の各磁気センサの磁気検知範囲と電磁ソレノイドとの位置関係を示す図である。
【図２３】同パチンコ機の各磁気センサとそれらの磁気検知範囲内に存在する電磁ソレノイドとの対応関係を示す図である。
【図２４】同パチンコ機の磁気検出エラー判定処理のフローチャートを示す図である。
【発明を実施するための形態】
【００１４】
以下、本発明の実施形態を図面に基づいて詳述する。図１〜図１６は本発明をパチンコ機に採用した第１の実施形態を例示している。図１及び図２において、遊技機本体１は、矩形状の外枠２と、この外枠２の前側に左右一側、例えば左側のヒンジ３により開閉自在に枢着された内枠４とを備えている。
【００１５】
内枠４の前面側には、その上部側に遊技盤５を装着するための遊技盤装着枠６等が、下部側に発射手段７、下部スピーカ８ａ等が夫々配置されると共に、それらの前側を覆う前扉９がヒンジ３と同じ側のヒンジ１０により開閉自在に枢着されている。
【００１６】
前扉９には、遊技盤５の遊技領域５ａに対応して窓孔１１が形成され、例えばその周囲に複数の上部スピーカ８ｂ、送風演出装置１２等の演出手段が配置されている。また、前扉９の下部側には、例えば左寄りの位置に、払い出し手段（図示省略）から払い出された遊技球を貯留して発射手段７に供給する上皿１３が配置されており、更にその上皿１３の下側には、上皿１３が満杯のときの余剰球等を貯留する下皿１４が左端側に、発射手段７を作動させるための発射ハンドル１５が右端側に夫々配置されている。
【００１７】
また、前扉９の前面側には、窓孔１１の周囲を前側から略覆う上装飾カバー１６と、上皿１３、下皿１４等を前側から略覆う下装飾カバー１７とが装着されており、前扉９の背面側には、窓孔１１を後側から略塞ぐガラスユニット１８が着脱自在に装着されている。また、下装飾カバー１７上には、例えば上皿１３の前側の左右方向略中央に遊技者が操作可能な演出ボタン１９が、またその右側に球貸し操作部２０が夫々配置されている。
【００１８】
遊技盤５は、遊技盤装着枠６に対して例えば前側から装着され、１又は複数の固定具２１により着脱自在に固定されている。遊技盤５の前面側には、発射手段７によって発射された遊技球を案内するガイドレール２２が環状に装着されると共に、そのガイドレール２２の内側の遊技領域５ａに、多数の遊技釘（図示省略）の他、中央表示ユニット２３、始動入賞ユニット２４、大入賞ユニット２５、普通入賞ユニット２６等のユニット部品が夫々着脱自在に装着されている。それら複数のユニット部品２３〜２６には、普通図柄表示手段２７、普通保留個数表示手段２８、第１特別図柄表示手段２９、第２特別図柄表示手段３０等の各種表示手段の他、普通図柄始動手段３１、第１特別図柄始動手段３２、第２特別図柄始動手段３３、大入賞手段３４、複数（ここでは３つ）の普通入賞手段３５ａ〜３５ｃ等が設けられている。
【００１９】
また、遊技領域５ａの最下流部、即ち例えば左右方向略中央における下部側にはアウト口部材３６が例えばガイドレール２２の内面側に一体に設けられている。このアウト口部材３６は、アウト口３６ａを構成するもので、入賞手段に入賞することなく遊技領域５ａの最下流部まで流下してきた遊技球（アウト球）はこのアウト口３６ａを経て遊技盤５の後側に排出される。
【００２０】
中央表示ユニット２３は、画像表示手段３８に対応する表示窓２３ａを備え、例えば遊技領域５ａの左右方向略中央における上部側に配置されており、発射手段７により遊技領域５ａの上部側に打ち込まれた遊技球は、この中央表示ユニット２３の左側の左流下経路３７ａと右側の右流下経路３７ｂとの何れかを流下するようになっている。中央表示ユニット２３は、図３等に示すように、第１装着孔３９ａに対して前側から装着され、その外周側の前面板４０の一部を第１装着孔３９ａの外側で遊技盤５の前面に当接させてネジ止めすることにより遊技盤５に固定されている。なお、前面板４０はその前側を遊技球が通過可能となっている。画像表示手段３８は例えば液晶式で、中央表示ユニット２３の後側に配置され、例えば遊技盤５の背面側に固定されており、演出図柄表示手段４１、第１特別保留個数表示手段４２、第２特別保留個数表示手段４３、エラー報知手段４４（図１１）等を構成している。
【００２１】
また中央表示ユニット２３には、普通図柄表示手段２７、普通保留個数表示手段２８、第１特別図柄表示手段２９、第２特別図柄表示手段３０等の表示手段の他、普通図柄始動手段３１、磁気センサＭＳ１等が設けられている。
【００２２】
普通図柄始動手段３１は、遊技球が通過可能な通過ゲートにより構成され、例えば中央表示ユニット２３の右側下部の右流下経路３７ｂ上で前面板４０の前側に突設されており、遊技球の通過を検出可能な遊技球検出手段４５を備えている。
【００２３】
普通図柄表示手段２７は、例えば「○」「×」の２種類の普通図柄に対応する２個の発光体（例えばＬＥＤ）により構成されており、普通図柄始動手段３１が遊技球を検出することを条件にそれら２つの発光体が所定時間交互に点滅して、普通図柄始動手段３１による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。そして、普通図柄表示手段２７の変動後の停止図柄が当たり態様となった場合には遊技者に有利な普通利益状態が発生し、後述する第２特別図柄始動手段３３が所定の開閉パターンに従って所定時間閉状態から開状態に変化する。
【００２４】
なお、普通図柄始動手段３１による遊技球検出時に取得された当たり判定乱数値等の普通乱数情報は、予め定められた上限保留個数、例えば４個を限度として記憶され、普通図柄表示手段２７による図柄変動が開始される毎に順次消化される。普通乱数情報の記憶個数（以下、普通保留個数）は、例えば上限保留個数と同数の発光体を備える普通保留個数表示手段２８がその発光個数によって遊技者に報知するようになっている。
【００２５】
第１特別図柄表示手段２９と第２特別図柄表示手段３０とは、夫々１個又は複数個、例えば各１個の第１，第２特別図柄を変動表示可能な７セグメント式等の表示手段により構成されている。そして、第１特別図柄表示手段２９は第１特別図柄始動手段３２に遊技球が入賞することを条件に、また第２特別図柄表示手段３０は第２特別図柄始動手段３３に遊技球が入賞することを条件に、夫々第１，第２特別図柄を所定時間変動表示して、それら第１，第２特別図柄始動手段３２，３３への遊技球入賞時に取得された大当たり判定乱数値が予め定められた大当たり判定値と一致する場合には所定の大当たり態様で、それ以外の場合には外れ態様で夫々停止するようになっている。そして、第１特別図柄表示手段２９と第２特別図柄表示手段３０との何れかが変動後に大当たり態様となった場合には遊技者に有利な特別利益状態が発生し、後述する大入賞手段３４が所定の開放パターンに従って開放する。
【００２６】
なお、第１，第２特別図柄表示手段２９，３０による遊技球検出時に取得された大当たり判定乱数値等の第１，第２特別乱数情報は、夫々予め定められた上限保留個数、例えば４個を限度として記憶され、第１，第２特別図柄表示手段２９，３０による図柄変動が開始される毎に順次消化される。第１，第２特別乱数情報の記憶個数（以下、第１，第２特別保留個数）は、第１，第２特別保留個数表示手段４２，４３が例えば第１，第２保留表示画像Ｘ，Ｙの表示個数によって遊技者に報知するようになっている。
【００２７】
磁気センサＭＳ１は、例えばＩＣ式で、正面視略長方形で前後幅が薄い扁平状に形成されており、普通図柄始動手段３１の近傍に配置され、図３に示すように例えば前面板４０の背面に沿って着脱自在に装着されている。
【００２８】
また中央表示ユニット２３には、左右一側、例えば左側にワープ入口４６が設けられ、また前側下部に、ワープ入口４６に入球した遊技球を自由に転動させて左右方向中央の中央落下部４７又はその側方から落下させるステージ４８が設けられている。
【００２９】
中央表示ユニット２３の下側には、遊技領域５ａの左右方向略中央に始動入賞ユニット２４が、右側に大入賞ユニット２５が、左側に普通入賞ユニット２６が夫々配置されている。そして、例えば第１特別図柄始動手段３２と第２特別図柄始動手段３３とが始動入賞ユニット２４に、大入賞手段３４が大入賞ユニット２５に、普通入賞手段３５ａ〜３５ｃが普通入賞ユニット２６に夫々設けられている。
【００３０】
始動入賞ユニット２４は、アウト口部材３６の上側近傍に配置され、例えばアウト口部材３６と同じ第２装着孔３９ｂに装着されており、図４，図５等に示すように、第２装着孔３９ｂに対して前側から装着される前装着体５１と、第２装着孔３９ｂに対して後側から装着される後装着体５２とで構成されている。
【００３１】
前装着体５１は、遊技盤５の前面に沿う板状の前面部材５３と、第１特別図柄始動手段３２を構成する第１始動入賞口５４と、第２特別図柄始動手段３３を構成する第２始動入賞口５５と、この第２始動入賞口５５に遊技球を案内する入賞案内手段５６とを備えている。
【００３２】
前面部材５３は、第２装着孔３９ｂの形状に対応して例えば正面視逆Ｔ字状に形成され、その前面側には任意の装飾が施されており、外縁側を第２装着孔３９ｂの外側で遊技盤５の前面に当接させた状態でネジ止め等により遊技盤５に着脱自在に固定されている。前面部材５３の背面側には、遊技盤５に対して位置決めするための第１位置決め凸部５０ａと、後装着体５２を位置決めするための第２位置決め凸部５０ｂとが夫々複数形成されている。遊技盤５の前面側には、第２装着孔３９ｂの周辺部に複数の位置決め凹部５０ｃが設けられており、前面部材５３は、第１位置決め凸部５０ａを位置決め凹部５０ｃに夫々嵌合させることによって遊技盤５の所定位置に位置決めされている。
【００３３】
第１始動入賞口５４は、前面部材５３の前側で上向きに開口する樋状に形成され、例えば前面部材５３の上端部に配置されており、入賞した遊技球を後向きに案内する入賞球案内部５４ａを備えている。第２始動入賞口５５は、前面部材５３に形成された例えば正面視略正方形の開口で、第１始動入賞口５４の下側近傍に配置されている。入賞案内手段５６は、前面部材５３の前側に突出する突起状に形成され、例えば第２始動入賞口５５の左右両側に配置されており、その上面は遊技球を左右方向の内側、即ち第２始動入賞口５５の前側に案内する傾斜面５６ａとなっている。
【００３４】
後装着体５２は、遊技盤５の背面側に装着される後部ケース５７と、この後部ケース５７の前側に例えば一体に形成され且つ第２装着孔３９ｂ内に後側から挿入される装着孔挿入部５８とを備えている。装着孔挿入部５８は、第１始動入賞口５４に入賞した遊技球を遊技盤５の後側に案内する第１入賞案内通路６１と、第２始動入賞口５５に入賞した遊技球を遊技盤５の後側に案内する第２入賞案内通路６２と、第２始動入賞口５５を開閉可能な開閉部材６３と、磁気センサＭＳ２と、第２位置決め凸部５０ｂに対応する複数の位置決め凹部６５とを備えている。
【００３５】
第１入賞案内通路６１と第２入賞案内通路６２とは上下に隣接して配置され、共に後ろ下がりの傾斜状に形成されており、第２入賞案内通路６２の前端部に開閉部材６３が配置されている。開閉部材（可動体）６３は、第２始動入賞口５５に対応する正面視略正方形の板状で、その下端部に設けられた左右方向の回転軸６３ａ廻りに揺動自在に支持されており、開閉駆動手段６６からの駆動力を受けるための駆動受け部６３ｂが回転軸６３ａに対して例えば後向きに突設されている。
【００３６】
第２入賞案内通路６２の下側には磁気センサＭＳ２が着脱自在に装着されている。この磁気センサＭＳ２は、例えばリードスイッチ式で、細長扁平状に形成され、センサホルダ６７によって横長略水平に支持されている。
【００３７】
後部ケース５７は、例えば前後方向幅が遊技盤５の板厚と同程度の略箱形で、図５，図６等に示すように、第１始動入賞口５４に入賞した遊技球を遊技盤５の後側で下向きに排出する第１排出案内通路６８と、第２始動入賞口５５に入賞した遊技球を遊技盤５の後側で下向きに排出する第２排出案内通路６９とを内部に一体に備えると共に、第１入賞検出手段７０、第２入賞検出手段７１、開閉駆動手段６６等を収容している。
【００３８】
第２排出案内通路６９は、第２入賞案内通路６２の後側から例えば下向きに配置されており、その第２排出案内通路６９の例えば下端部近傍に、遊技球を検出可能な第２入賞検出手段７１が着脱自在に装着されている。第１排出案内通路６８は、第１入賞案内通路６１の後側から左右方向の一方側、例えば右側に屈曲して第２排出案内通路６９の一側、例えば右側に沿って下向きに配置されており、その第１排出案内通路６８の例えば下端部近傍に、遊技球を検出可能な第１入賞検出手段７０が着脱自在に装着されている。
【００３９】
開閉駆動手段（電磁駆動手段）６６は、電磁ソレノイドにより構成され、例えば可動鉄心６６ａを下側に向けた状態で第２排出案内通路６９の左側、即ち磁気センサＭＳ２の左端部後側近傍に配置されており、ＯＮ（励磁）状態のときに可動鉄心６６ａが上向きに移動するようになっている。可動鉄心６６ａには、開閉連動部材７２の一端側が着脱自在に固定されており、この開閉連動部材７２の他端側が、開閉部材（可動体）６３の駆動受け部６３ｂに係合している。これにより、開閉駆動手段６６がＯＦＦ（非励磁）状態のときには開閉部材６３が略鉛直に保持され、開閉駆動手段６６がＯＦＦ（非励磁）状態からＯＮ（励磁）状態に切り替わったとき、可動鉄心６６ａと共に開閉連動部材７２が上昇して開閉部材６３が前側に揺動し、後ろ下がりの傾斜状となる。
【００４０】
後装着体５２は、例えば前装着体５１が遊技盤５の前側に装着された後で遊技盤５の後側から装着される。後装着体５２を装着する際には、位置決め凹部６５を夫々前装着体５１側の第２位置決め凸部５０ｂに後側から嵌合させつつ、装着孔挿入部５８等を第２装着孔３９ｂに後側から挿入する。そして、後部ケース５７の前面を遊技盤５の背面に当接させ、その状態で後装着体５２をネジ止め等により遊技盤５に固定する。このとき、後装着体５２側の開閉部材６３が前装着体５１側の第２始動入賞口５５に後側から嵌め込まれ、第２始動入賞口５５は開閉部材６３により開閉可能な状態となる。即ち、開閉駆動手段６６がＯＦＦ（非励磁）状態のときには開閉部材６３が略鉛直となって第２始動入賞口５５は遊技球入賞不可能な閉状態に保持され（図５に実線で示す）、開閉駆動手段６６がＯＦＦ（非励磁）状態からＯＮ（励磁）状態に切り替わったとき、開閉部材６３が前側に揺動して第２始動入賞口５５が開状態となる（図５に二点鎖線で示す）。
【００４１】
また、後装着体５２が遊技盤５に装着されたとき、その下部側に配置された磁気センサＭＳ２は、アウト口部材３６の上側近傍で第２装着孔３９ｂ内に収容されると共に前縁側が前面部材５３の背面に当接又は近接した状態となる（図５参照）。これにより、ガラスユニット１８の前側からアウト口３６ａ付近に磁石が近づいた場合に確実にその磁気を検知することが可能である。
【００４２】
以上説明した始動入賞ユニット２４上で、第１特別図柄始動手段３２は、第１始動入賞口５４、第１入賞案内通路６１、第１排出案内通路６８、第１入賞検出手段７０等により構成されており、第１始動入賞口５４に遊技球が入賞すると、その遊技球は第１入賞案内通路６１、第１排出案内通路６８を経て遊技盤５の後側に排出され、またその際に第１入賞検出手段７０によって検出される。なお、遊技領域５ａ内の釘配置（図示省略）等により、この第１特別図柄始動手段３２へは、右流下経路３７ｂを流下してきた遊技球よりも左流下経路３７ａを流下してきた遊技球（ステージ４８を経た遊技球を含む）の方が入賞の可能性が高くなっている。従って、この第１特別図柄始動手段３２に遊技球を入賞させるためには遊技者はいわゆる左打ちをすることが望ましい。
【００４３】
また第２特別図柄始動手段３３は、第２始動入賞口５５、第２入賞案内通路６２、第２排出案内通路６９、第２入賞検出手段７１、開閉部材（可動体）６３、開閉駆動手段（電磁駆動手段）６６等により構成されており、普通図柄表示手段２７の変動後の停止図柄が当たり態様となった場合に発生する普通利益状態中に、開閉駆動手段６６のＯＮ（励磁）／ＯＦＦ（非励磁）によって開閉部材６３が第２始動入賞口５５を開閉し、開状態となった第２始動入賞口５５に遊技球が入賞すると、その遊技球は第２入賞案内通路６２、第２排出案内通路６９を経て遊技盤５の後側に排出され、またその際に第２入賞検出手段７１によって検出される。
【００４４】
大入賞ユニット２５は、アウト口部材３６及び始動入賞ユニット２４の右側にガイドレール２２に沿って配置され、遊技盤５に形成された第３装着孔３９ｃに対して前側から着脱自在に装着されており、図７，図８等に示すように、遊技盤５の前面に沿う板状の前面部材８１と、この前面部材８１の背面側に設けられ且つ第３装着孔３９ｃ内に前側から挿入される装着孔挿入部８２と、前面部材８１の前面側下部に設けられる球誘導部材８３とを備えている。
【００４５】
前面部材８１は、その外縁側が装着孔挿入部８２に対して鍔状に突出しており、この突出部分が第３装着孔３９ｃの周囲で遊技盤５の前面に当接し、例えばネジ止めにより遊技盤５に固定されている。前面部材８１の上部側には、大入賞手段３４を構成する大入賞口８４が、例えば正面視横長略矩形の開口状に形成されると共に、同じく大入賞手段３４を構成する開閉部材８５が大入賞口８４に対応して装着されている。
【００４６】
開閉部材（可動体）８５は、大入賞口８４に対応する略矩形の板状で、その下端部に設けられた左右方向の回転軸８５ａ廻りに揺動自在に支持されており、左右方向の一端側には、開閉駆動手段８６からの駆動力を受けるための駆動受け部８５ｂが回転軸８５ａに対して例えば後向きに突設されている。
【００４７】
装着孔挿入部８２は、大入賞口８４の後側に形成された入賞室８７と、大入賞口８４が開状態のときに入賞した遊技球を入賞室８７から遊技盤５の後側に案内する排出案内通路８８とを備えると共に、入賞検出手段８９、開閉駆動手段８６、磁気センサＭＳ３等を収容している。
【００４８】
入賞室８７は、前側、即ち大入賞口８４側が開放した略箱形に形成されており、例えばその底壁８７ａの左右方向一端側に、排出案内通路８８の上流端側に対応する流下口９１が形成されている。入賞室８７の底壁８７ａは、流下口９１側が低い傾斜状に形成されており、大入賞口８４を経て入賞室８７内に流入した遊技球を流下口９１側に案内するようになっている。また、入賞室８７の下側には入賞検出手段８９が着脱自在に装着されており、流下口９１内に落下した遊技球は、この入賞検出手段８９で検出された後、排出案内通路８８に流入し、例えば後向きに案内されて遊技盤５の後側に排出される。
【００４９】
開閉駆動手段（電磁駆動手段）８６は、電磁ソレノイドにより構成され、例えば可動鉄心８６ａを右側に向けた状態で入賞室８７の後側に横向きに配置されており、ＯＮ（励磁）状態のときに可動鉄心８６ａが左向きに移動するようになっている。可動鉄心８６ａは、開閉連動機構９２の一端側の駆動側係合部９２ａに係合し、この開閉連動機構９２の他端側の被駆動側係合部９２ｂが開閉部材（可動体）８５の駆動受け部８５ｂに係合しており、可動鉄心８６ａが左向きに移動したときに、開閉連動機構９２の被駆動側係合部９２ｂが上向きに動作して、開閉部材８５が前側に揺動する。なお、開閉連動機構９２は例えば直列に連結された複数の連動部材により構成されている。
【００５０】
これにより、開閉駆動手段８６がＯＦＦ（非励磁）状態のときには開閉部材８５が略鉛直となって大入賞口８４は遊技球が入賞不可能な閉状態に保持され（図８に実線で示す）、開閉駆動手段８６がＯＦＦ（非励磁）状態からＯＮ（励磁）状態に切り替わったとき、開閉部材６３が前側に揺動して後ろ下がりの傾斜状となり（図８に二点鎖線で示す）、大入賞口８４は遊技球が入賞可能な開状態となる。
【００５１】
磁気センサＭＳ３は例えばＩＣ式で、正面視略長方形で前後幅が薄い扁平状に形成されており、例えば大入賞口８４の左側に配置され、前面部材８１の背面に沿って着脱自在に装着されている。
【００５２】
球誘導部材８３は、前面部材８１の下部側の領域に対応して設けられており、その領域を遊技球が通過不可能となるように略一定幅で前向きに突出している。球誘導部材８３の上面側は、左下がりの緩やかな傾斜状に形成された球誘導面８３ａとなっており、例えば大入賞口８４に入賞することなく落下してきた遊技球を遊技領域５ａの中央側、即ち第２特別図柄始動手段３３側に案内するようになっている。
【００５３】
以上説明した大入賞ユニット２５上で、大入賞手段３４は、大入賞口８４、入賞室８７、排出案内通路８８、入賞検出手段８９、開閉部材８５、開閉駆動手段８６等により構成されており、第１特別図柄表示手段２９と第２特別図柄表示手段３０との何れかが変動後に大当たり態様となった場合に発生する特別利益状態中に、開閉駆動手段８６のＯＮ（励磁）／ＯＦＦ（非励磁）によって開閉部材８５が大入賞口８４を開閉し、開状態となった大入賞口８４に遊技球が入賞すると、その遊技球は入賞室８７、排出案内通路８８を経て遊技盤５の後側に排出され、またその際に入賞検出手段８９によって検出される。なお、大入賞手段３４は、右流下経路３７ｂ上で且つ普通図柄始動手段３１よりも下流側に配置されているため、この大入賞手段３４に遊技球を入賞させるためには遊技者はいわゆる右打ちをする必要がある。
【００５４】
普通入賞ユニット２６は、アウト口部材３６及び始動入賞ユニット２４の左側にガイドレール２２に沿って配置され、遊技盤５に形成された第４装着孔３９ｄに対して前側から着脱自在に装着されており、図９，図１０等に示すように、遊技盤５の前面に沿う板状の前面部材１０１と、この前面部材１０１の背面側に設けられ且つ第４装着孔３９ｄ内に前側から挿入される装着孔挿入部１０２と、前面部材１０１の前側に設けられる複数（ここでは３つ）の普通入賞口１０３ａ〜１０３ｃとを備えている。
【００５５】
前面部材１０１は、ガイドレール２２の内側に沿って正面視略弓形に形成され、その外縁側が装着孔挿入部１０２に対して鍔状に突出しており、この突出部分が第４装着孔３９ｄの周囲で遊技盤５の前面に当接し、例えばネジ止めにより遊技盤５に固定されている。普通入賞口１０３ａ〜１０３ｃは、夫々普通入賞手段３５ａ〜３５ｃを構成するもので、最も上流側が普通入賞口１０３ａ、最も下流側が普通入賞口１０３ｃとなるように、前面部材１０１の長手方向に沿って所定間隔を空けて一列状に配置されており、夫々前面部材１０１の前側で上向きに開口する樋状に形成されている。
【００５６】
装着孔挿入部１０２は、遊技盤５の板厚と略同じ前後幅に形成されたケース体１０４と、普通入賞口１０３ａ〜１０３ｃに入賞した遊技球を夫々遊技盤５の後側に排出する排出案内通路１０５ａ〜１０５ｃとを備えている。ケース体１０４内には、普通入賞口１０３ａ〜１０３ｃに入賞した遊技球を夫々遊技盤５の後側に案内する入賞案内通路１０６ａ〜１０６ｃが、夫々普通入賞口１０３ａ〜１０３ｃの後側に対応して後ろ下がりの傾斜状に形成されている。
【００５７】
排出案内通路１０５ａ〜１０５ｃは、ケース体１０４の後壁１０４ａの背面に沿って例えば下向きに設けられており、その上端側が夫々排出案内通路１０５ａ〜１０５ｃの後側に連通している。
【００５８】
また、ケース体１０４の後壁１０４ａの背面側には、入賞検出手段１０７ａ〜１０７ｃと、１又は複数（ここでは２つ）の磁気センサＭＳ４，ＭＳ５とが装着されている。入賞検出手段１０７ａ〜１０７ｃは、夫々普通入賞口１０３ａ〜１０３ｃに入賞した遊技球を検出するもので、例えば排出案内通路１０５ａ〜１０５ｃの下流端側に設けられている。
【００５９】
磁気センサＭＳ４，ＭＳ５は例えばＩＣ式で、正面視略長方形で前後幅が薄い扁平状に形成されており、磁気センサＭＳ４は例えば普通入賞口１０３ａの上流側近傍に、磁気センサＭＳ５は例えば普通入賞口１０３ｂと普通入賞口１０３ｃとの間に夫々対応する位置に配置されている。
【００６０】
なお、以上説明した普通入賞ユニット２６上で、普通入賞手段３５ａ〜３５ｃは、普通入賞口１０３ａ〜１０３ｃ、入賞案内通路１０６ａ〜１０６ｃ、排出案内通路１０５ａ〜１０５ｃ、入賞検出手段１０７ａ〜１０７ｃ等により構成されており、普通入賞口１０３ａ〜１０３ｃに遊技球が入賞すると、その遊技球は入賞案内通路１０６ａ〜１０６ｃ、排出案内通路１０５ａ〜１０５ｃを経て遊技盤５の後側に排出され、またその際に入賞検出手段１０７ａ〜１０７ｃによって検出される。
【００６１】
図１１は本パチンコ機の制御系のブロック図である。図１１において、主制御基板１１０は遊技動作を統括的に制御するもので、ＣＰＵ，ＲＯＭ，ＲＡＭ等により構成される普通図柄処理手段１１１、普通図柄表示制御手段１１２、普通利益状態発生手段１１３、特別図柄処理手段１１４、特別図柄表示制御手段１１５、特別利益状態発生手段１１６、特別遊技状態発生手段１１７、入賞処理手段１１８、エラー管理手段１１９、制御コマンド送信手段１２０等を備えている。
【００６２】
また、この主制御基板１１０には、演出制御基板１２１等のサブ制御基板が接続され、また普通図柄表示手段２７、第１，第２特別図柄表示手段２９，３０等の表示手段、普通図柄始動手段３１の遊技球検出手段４５、第１，第２特別図柄始動手段３２，３３、大入賞手段３４、普通入賞手段３５ａ〜３５ｃの各入賞検出手段７０，７１，８９，１０７ａ〜１０７ｃ、磁気センサＭＳ１〜ＭＳ５、電波センサ１２２、扉開放検出手段１２３等が接続されている。
【００６３】
なお、電波センサ１２２は電磁波を用いたゴト行為への対策として配置されるもので、例えば遊技盤５の裏側等に一又は複数配置されている。また、扉開放検出手段１２３は、例えば内枠４と前扉９との少なくとも一方が開状態にあることを検出可能に構成されている。
【００６４】
普通図柄処理手段１１１は、普通図柄の変動表示に関する処理を行うもので、遊技球が普通図柄始動手段３１を通過し、遊技球検出手段４５がその遊技球を検出することに基づいて、当たり判定乱数値等の普通乱数情報を取得すると共にその普通乱数情報を予め定められた上限保留個数（例えば４個）を限度として先入れ先出し式の普通乱数記憶手段１１１ａに記憶させ、また普通図柄表示手段２７が変動表示可能な状態となり且つ普通乱数記憶手段１１１ａに１以上の普通乱数情報が記憶されていること（普通保留個数が１以上であること）を条件に、普通乱数記憶手段１１１ａから待ち行列の先頭の普通乱数情報を取り出し、その当たり判定乱数値が予め定められた当たり判定値と一致するか否かに応じて当たり／外れの判定を行い、また普通図柄の変動後の停止図柄及び変動時間を選択するように構成されている。
【００６５】
なお本実施形態では、図１２に示すように、当たり判定に用いる当たり判定値の数を後述する特別遊技状態中とそれ以外の通常遊技状態中とで異ならせることにより、特別遊技状態中の当たり確率（例えば１／１．３）が通常遊技状態中の当たり確率（例えば１／１０）よりも高く設定され、また特別遊技状態中における変動時間（例えば２．７秒）が通常遊技状態中における変動時間（例えば２７秒）よりも短くなるように設定されている。
【００６６】
普通図柄表示制御手段１１２は、普通図柄処理手段１１１による普通図柄処理に基づいて普通図柄表示手段２７の表示制御を行うもので、普通図柄表示手段２７が変動表示可能な状態となり且つ普通乱数記憶手段１１１ａに１以上の普通乱数情報が記憶されていること（普通保留個数が１以上であること）を条件に普通図柄表示手段２７による普通図柄の変動を開始させ、普通図柄処理手段１１１で選択された変動時間が経過することに基づいて、同じく普通図柄処理手段１１１で選択された停止図柄で普通図柄の変動を停止させるようになっている。
【００６７】
普通利益状態発生手段１１３は、遊技者に有利となる普通利益状態を発生させるもので、普通図柄処理手段１１１によって当たりの判定結果が得られることに基づいて普通図柄表示手段２７の変動後の停止図柄が当たり態様となった場合に、第２特別図柄始動手段３３の開閉部材６３を複数種類の開閉パターンの何れかに従って開状態に変化させるようになっている。本実施形態では、普通利益状態における第２特別図柄始動手段３３の開閉パターンとして通常開閉パターン（例えば０．２秒×１回開放）と延長開閉パターン（例えば２秒×３回開放）の２種類が設定されており、通常遊技状態中は通常開閉パターンが、特別遊技状態中は延長開閉パターンが選択されるようになっている（図１２）。
【００６８】
特別図柄処理手段１１４は、第１，第２特別図柄の変動表示に関する処理を行うもので、遊技球が第１特別図柄始動手段３２の第１始動入賞口５４に入賞し、第１入賞検出手段７０がその遊技球を検出することに基づいて、大当たり判定乱数値等の特別乱数情報を取得すると共にその特別乱数情報を予め定められた上限保留個数（例えば４個）を限度として先入れ先出し式の第１特別乱数記憶手段１１４ａに記憶させ、また遊技球が第２特別図柄始動手段３３の第２始動入賞口５５に入賞し、第２入賞検出手段７１がその遊技球を検出することに基づいて、大当たり判定乱数値等の特別乱数情報を取得すると共にその特別乱数情報を予め定められた上限保留個数（例えば４個）を限度として先入れ先出し式の第２特別乱数記憶手段１１４ｂに記憶させる保留記憶機能を有している。
【００６９】
また、特別図柄処理手段１１４は、第１，第２特別図柄表示手段２９，３０が共に変動表示可能な状態となり且つ第２特別乱数記憶手段１１４ｂに１以上の特別乱数情報が記憶されていること（第２特別保留個数が１以上であること）を条件に、第２特別乱数記憶手段１１４ｂから待ち行列の先頭の特別乱数情報を取り出し、その大当たり判定乱数値が予め定められた大当たり判定値と一致するか否かに応じて大当たり／外れの判定を行い、また第１，第２特別図柄表示手段２９，３０が共に変動表示可能な状態となり且つ第１，第２特別乱数記憶手段１１４ａ，１１４ｂのうちの第１特別乱数記憶手段１１４ａにのみ１以上の特別乱数情報が記憶されていること（第１，第２特別保留個数のうちの第１特別保留個数のみが１以上であること）を条件に、第１特別乱数記憶手段１１４ａから待ち行列の先頭の特別乱数情報を取り出し、その大当たり判定乱数値が予め定められた大当たり判定値と一致するか否かに応じて大当たり／外れの判定を行う大当たり判定機能を有している。
【００７０】
更に、特別図柄処理手段１１４は、大当たり／外れの判定結果に基づいて第１，第２特別図柄の変動後の停止図柄の種類を選択する特別停止図柄選択機能、大当たり／外れの判定結果と、新たに取得された変動パターン乱数値とに基づいて演出図柄の変動パターンを選択する変動パターン選択機能等を備えている。
【００７１】
特別図柄表示制御手段１１５は、第１，第２特別図柄表示手段２９，３０の表示制御を行うもので、特別図柄処理手段１１４による特別図柄処理に基づいて、第１，第２特別図柄表示手段２９，３０による第１，第２特別図柄の変動を開始させると共に、特別図柄処理手段１１４によって選択された演出図柄の変動パターンに対応する変動時間が経過することに基づいて、同じく特別図柄処理手段１１４によって選択された停止図柄で第１，第２特別図柄の変動を停止させるようになっている。
【００７２】
特別利益状態発生手段１１６は、遊技者に有利となる特別利益状態を発生させるもので、特別図柄処理手段１１４によって大当たりと判定されることに基づいて第１特別図柄表示手段２９又は第２特別図柄表示手段３０の変動後の停止図柄が大当たり態様となった場合に、所定の開放パターンに従って大入賞手段３４の開閉部材８５を開閉する特別利益状態を開始させるようになっている。
【００７３】
本実施形態では、特別利益状態における大入賞手段３４の開放パターンとしてα，βの２種類が設けられており（図１３）、特別利益状態発生手段１１６は、例えば特別乱数情報に含まれる大当たり図柄乱数値に応じて開放パターンα，βの何れかを選択するようになっている。なお本実施形態では、図１３に示すように、開放パターンβが選択される確率は第２特別図柄側の方が第１特別図柄側よりも高い値に設定されている。
【００７４】
開放パターンαは、遊技球が入賞困難な短時間だけ大入賞手段３４を開放するもので、例えば大入賞手段３４を０．２秒開放する動作を単位開放動作として、これを一定時間のラウンドインターバル期間を挟んで２ラウンド繰り返すように設定されている。この開放パターンαは、１回の開放時間が０．２秒と僅かでしかもラウンド数も２ラウンドと少ないため、その開放中に遊技球が入賞する可能性は極めて小さい。
【００７５】
一方の開放パターンβは、大入賞手段３４を、開放してから所定時間（例えば２８秒）経過するかそれまでに所定個数（例えば９個）の遊技球が入賞することを条件に閉鎖する動作を単位開放動作として、これを一定時間のラウンドインターバル期間を挟んで１５ラウンド繰り返すように設定されている。この開放パターンβの場合、大入賞手段３４への１個の入賞に対する賞球を１５個とすると、遊技者が普通に発射動作を続けるだけで殆どの場合に９×１５×１５＝２０２５個の出球が期待でき、開放パターンαに比べて遊技者が得られる直接的な利益は格段に大きくなっている。
【００７６】
特別遊技状態発生手段１１７は、特別利益状態の終了後に遊技者に有利な特別遊技状態を発生させるもので、例えば第１，第２特別乱数記憶手段１１４ａ，１１４ｂに記憶された大当たり判定乱数値が大当たり判定値と一致した場合に、その大当たり判定値と共に取得された大当たり図柄乱数値に応じて、例えば高確率状態と開放延長状態との組み合わせよりなる特別遊技状態を発生させるように構成されている。
【００７７】
高確率状態中は、それ以外の低確率状態中よりも大当たり判定値の数が例えば１個から１０個へ増加することにより、第１，第２特別図柄が大当たり態様となる確率を低確率（例えば１／３５０）よりも高い高確率（例えば１／３５）に設定するようになっている。
【００７８】
また開放延長状態中は、第２特別図柄始動手段３３の開閉部材６３の開閉パターンが通常開閉パターン（例えば０．２秒×１回開放）から延長開閉パターン（例えば２秒×３回開放）へ切り換えられる他、第１，第２特別図柄に関して、第１，第２特別図柄表示手段２９，３０の変動時間が夫々通常変動時間よりも短い短縮変動時間に切り換えられ、普通図柄に関して、図１２に示すように当たり確率が通常確率（例えば１／１０）から高確率（例えば１／１．３）へ、変動時間が通常変動時間（例えば２７秒）から短縮変動時間（例えば２．７秒）へそれぞれ切り換えられるようになっている。
【００７９】
本実施形態では、高確率状態が発生せず開放延長状態が発生する「時短状態」、高確率状態と開放延長状態とが共に発生する「高確状態」、高確率状態が発生し開放延長状態が発生しない「潜確状態」の３種類の特別遊技状態が設けられており、図１３に示すように、第１特別図柄表示手段２９においては、大当たり図柄乱数値が０〜４の場合に時短状態が、５〜９の場合に高確状態（但し大当たり図柄乱数値が８，９の場合には、通常遊技状態中の特別利益状態後は潜確状態）が発生し、また第２特別図柄表示手段３０においては、大当たり図柄乱数値が０〜４の場合に時短状態が、５〜９の場合に高確状態（但し大当たり図柄乱数値が９の場合には、通常遊技状態中の特別利益状態後は潜確状態）が発生するようになっている。
【００８０】
なお、特別遊技状態（時短状態、高確状態又は潜確状態）は、特別利益状態が終了した時点で開始され、例えば時短状態については、次の特別利益状態が開始するか、それまでに第１，第２特別図柄が所定回数（例えば５０回）変動した時点で終了し、高確状態及び潜確状態については、例えば次の特別利益状態が開始した時点で終了する。
【００８１】
入賞処理手段１１８は、各入賞手段、即ち第１特別図柄始動手段３２、第２特別図柄始動手段３３、大入賞手段３４、普通入賞手段３５ａ〜３５ｃへの遊技球の入賞による賞球払い出しに関する処理を行うもので、例えばそれら入賞手段３２〜３４，３５ａ〜３５ｃ毎の入賞個数を、入賞検出手段７０，７１，８９，１０７ａ〜１０７ｃからの検出信号に基づいてカウントし、その入賞手段毎の入賞個数のカウント値と、各入賞手段毎に設定された賞球個数とに基づいて、例えば一入賞毎に払出個数指定コマンドを図外の払出制御基板に送信するようになっている。
【００８２】
エラー管理手段１１９は、各種エラーに関する処理を行うもので、例えばエラー判定手段１１９ａ、エラー発生時処理手段１１９ｂ、エラー解除判定手段１１９ｃ、エラー解除処理手段１１９ｄ等を備えている。
【００８３】
エラー判定手段１１９ａは、各種エラーの判定を行うもので、磁気センサＭＳ１〜ＭＳ５、電波センサ１２２、扉開放検出手段１２３、入賞検出手段７０，７１，８９，１０７ａ〜１０７ｃ等の各種センサからの検出信号に基づいて、磁気検出エラー、電波検出エラー、扉開放エラー、入賞スイッチエラー、不正入賞エラー等の各種エラーの発生を判定するように構成されている。
【００８４】
以下、エラー判定手段１１９ａによる各種エラー判定のうち、磁気検出エラーの判定処理について説明する。本実施形態では、遊技盤５に５つの磁気センサＭＳ１〜ＭＳ５が配置されており、それら５つの磁気センサＭＳ１〜ＭＳ５の磁気検知信号に基づいて磁気検出エラーの判定処理を行うようになっている。
【００８５】
図１４は、遊技盤５の正面視における磁気センサＭＳ１〜ＭＳ５の所定レベル以上の磁気検知範囲を概略的に示したものである。なお本実施形態では、この所定レベルをエラー判定レベルとし、磁気センサＭＳ１〜ＭＳ５の磁気検知信号がこのエラー判定レベル以上であることを条件にエラーと判定する。以下、このエラー判定レベル以上となる磁気検知範囲を単に「磁気検知範囲」という。
【００８６】
図１４より明らかなように、本実施形態では磁気センサＭＳ２の磁気検知範囲内に開閉駆動手段６６が存在し、また磁気センサＭＳ３の磁気検知範囲内に開閉駆動手段８６が存在している（図１５参照）。従って、磁気センサＭＳ２は開閉駆動手段６６が励磁されたときに、また磁気センサＭＳ３は開閉駆動手段８６が励磁されたときに、その磁気によって磁気検知信号がエラー判定レベルに達してしまう可能性がある。このように本実施形態では、磁気センサＭＳ２が、開閉駆動手段６６に対して所定の位置関係にある特定磁気センサの一例であり、磁気センサＭＳ３が、開閉駆動手段８６に対して所定の位置関係にある特定磁気センサの一例である。
【００８７】
続いてエラー判定手段１１９ａによって実行される磁気検出エラー判定処理の手順を、図１６に従って具体的に説明する。この磁気検出エラー判定処理（図１６）では、まず磁気センサＭＳｎ（ｎ＝１〜５）における変数ｎに初期値である１をセットする（Ｓ１）。そして、ｎが最大値（ここでは５）に達するまで（Ｓ７）、ｎに１ずつ加算しつつ（Ｓ８）、磁気センサＭＳｎについて、検知信号が予め定められたエラー判定レベルに達した状態で所定時間継続したか否かの判定を行い（Ｓ６）、検知信号がエラー判定レベルに達した状態で所定時間継続したと判定された場合には（Ｓ６：Ｙｅｓ）、エラー発生時処理手段１１９ｂにより所定のエラー処理を実行する（Ｓ９）ことを原則としている。
【００８８】
なお本実施形態では、この「所定時間」を、第２特別図柄始動手段３３の通常開閉パターンにおける開放時間（所定遊技状態中における開閉駆動手段６６の励磁継続時間）である０．２ｓよりは長く、延長開閉パターンにおける開放時間（特定遊技状態中における開閉駆動手段６６の励磁継続時間）である２ｓよりは十分に短い時間、例えば０．３ｓに設定している。
【００８９】
しかしながら、ｎ＝２の場合（Ｓ２：Ｙｅｓ）、即ち磁気センサＭＳ２の場合には、開放延長中（即ち時短状態中又は高確状態中）であること（Ｓ３：Ｙｅｓ）を条件にＳ６の処理をスキップし、またｎ＝３の場合（Ｓ４：Ｙｅｓ）、即ち磁気センサＭＳ３の場合には、特別利益状態中であること（Ｓ５：Ｙｅｓ）を条件にＳ６の処理をスキップするようになっている。なお、磁気センサＭＳ２に関しては開放延長状態が特定遊技状態の一例であり、磁気センサＭＳ３に関しては特別利益状態が特定遊技状態の一例である。
【００９０】
これにより、磁気検知範囲内に開閉駆動手段６６が存在する磁気センサＭＳ２の検知信号については、開閉駆動手段６６が通常開閉パターン（０．２ｓ×１回）で作動する通常遊技状態中はＳ６の処理で参照されるが、開閉駆動手段６６の作動による磁気検知時間は所定時間（０．３ｓ）未満であるためそれによってエラー処理（Ｓ９）が行われることはなく、また開閉駆動手段６６が延長開閉パターン（２ｓ×３回）で作動する特別遊技状態中はＳ６の処理で参照されることはないため、開閉駆動手段６６の作動を原因とする誤ったエラー判定を回避できる。
【００９１】
また、磁気検知範囲内に開閉駆動手段８６が存在する磁気センサＭＳ３の検知信号については、開閉駆動手段８６が作動する特別利益状態中はＳ６の処理で参照されることはないため、開閉駆動手段８６の作動を原因とする誤ったエラー判定を回避できる。
【００９２】
また、磁気センサＭＳ２がＳ６の処理で参照されない場合、この磁気センサＭＳ２に関するエラー判定においてはその磁気センサＭＳ２の検知範囲内にある磁気に反応することはないが、磁石を用いて始動入賞ユニット２４に遊技球を導く際にはその磁石は磁気センサＭＳ５の検知範囲を通過するため、磁気センサＭＳ５に関するエラー判定において正しくエラーと判定することができ、磁石等を用いた遊技機外からの不正行為を防ぐことができる。磁気センサＭＳ３の場合も同様に、Ｓ６の処理で参照されない場合、この磁気センサＭＳ３に関するエラー判定においてはその磁気センサＭＳ３の検知範囲内にある磁気に反応することはないが、磁石を用いて大入賞ユニット２５に遊技球を導く際にはその磁石は磁気センサＭＳ１又はＭＳ２の検知範囲を通過するため、磁気センサＭＳ１又はＭＳ２に関するエラー判定において正しくエラーと判定することができ、磁石等を用いた遊技機外からの不正行為を防ぐことができる。
【００９３】
なお、エラー発生時処理手段１１９ｂによるエラー処理（Ｓ９）では、演出制御基板１２１に対するエラーコマンドの送信、外部出力端子からのエラー信号の出力、エラー履歴の保存等が行われる。
【００９４】
また、エラー発生時処理手段１１９ｂによりエラー処理（Ｓ９）が実行された場合には、エラー解除判定手段１１９ｃが、所定のエラー解除条件が成立したか否かの判定を、例えばエラー解除条件が成立するまで繰り返し行う。エラー解除条件はエラーの種類に応じて予め設定されており、磁気検出エラーであれば、例えばエラー発生後、遊技ホール担当者により所定のエラー解除操作が行われた場合にエラー解除条件が成立したものと判定するようになっている。
【００９５】
エラー解除判定手段１１９ｃによりエラー解除条件が成立したと判定された場合には、エラー解除処理手段１１９ｄが、演出制御基板１２１に対してエラーの種類に対応するエラー解除コマンドを送信する等のエラー解除処理を実行する。
【００９６】
制御コマンド送信手段１２０は、演出制御基板１２１等のサブ制御基板に対して制御コマンドを送信するもので、例えば第１，第２特別図柄の変動に関しては、特別図柄処理手段１１４による特別図柄処理に基づいて、第１，第２特別図柄始動手段３２，３３への遊技球入賞時に演出制御基板１２１に対して第１，第２保留増加コマンドを送信し、また第１，第２特別図柄の変動開始時に、第１，第２保留減算コマンド、変動パターン指定コマンド、停止図柄コマンドを演出制御基板１２１に送信すると共に、第１，第２特別図柄の変動停止時に変動停止コマンドを演出制御基板１２１に送信し、エラー管理手段１１９によるエラー管理処理に基づいて、演出制御基板１２１に対してエラー発生時にエラーコマンドを、エラー解除時にエラー解除コマンドを夫々送信し、また入賞処理手段１１８による入賞処理に基づいて、各入賞手段への入賞毎に払出制御基板（図示省略）に払出個数指定コマンドを送信するようになっている。
【００９７】
演出制御基板１２１は、演出図柄表示手段４１、第１，第２特別保留個数表示手段４２，４３、エラー報知手段４４、スピーカ８ａ，８ｂ、電飾手段１３１等の各種演出手段を制御するためのもので、特別保留個数表示制御手段１３２、演出図柄制御手段１３３、エラー報知制御手段１３４等を備えている。なお、電飾手段１３１はＬＥＤ等の発光体により構成され、遊技盤５の各種ユニット上、前扉９上等に多数配置されている。
【００９８】
特別保留個数表示制御手段１３２は、第１，第２特別保留個数表示手段４２，４３の表示制御を行うもので、第１，第２特別図柄始動手段３２，３３に新たに遊技球が入賞し、主制御基板１１０から第１，第２保留増加コマンドを受信したときに、その第１，第２保留増加コマンドに基づいて、画像表示手段３８の所定位置に増加後の第１，第２特別保留個数分の第１，第２保留表示画像Ｘ，Ｙを表示し、例えば主制御基板１１０から第１，第２保留減算コマンドを受信することに基づいて、表示中の第１，第２保留表示画像Ｘ，Ｙの数を１個減少させて待ち行列の前側にシフトさせるように構成されている。
【００９９】
演出図柄制御手段１３３は、演出図柄表示手段４１等による演出図柄の変動を制御するもので、例えば主制御基板１１０から変動パターン指定コマンドを受信し且つその後所定時間以内に停止図柄コマンドを受信することに基づいて、演出図柄の停止図柄態様を選択する停止図柄抽選処理を実行した後、変動パターン指定コマンドで指定された変動パターンに基づいて、演出図柄表示手段４１による演出図柄の変動を開始させると共に、変動停止コマンドを受信したときに、停止図柄抽選処理で選択された停止図柄態様で演出図柄の変動を停止させ、またその演出図柄の変動表示に合わせてスピーカ８ａ，８ｂから所定の効果音を出力させ、また電飾手段１３１を所定のパターンで発光させるように構成されている。
【０１００】
エラー報知制御手段１３４は、エラー報知手段４４等によるエラー報知を制御するもので、例えば主制御基板１１０からエラーコマンドを受信することに基づいて、エラー報知画像をエラー報知手段４４により表示させ、スピーカ８ａ，８ｂからエラー報知音を出力させ、電飾手段１３１の少なくとも一部のエラー報知ランプを点灯させるようになっている。またエラー報知制御手段１３４は、例えば主制御基板１１０からエラー解除コマンドを受信することに基づいてエラー報知手段４４等によるエラー報知を終了するようになっている。
【０１０１】
以上説明したように、本実施形態のパチンコ機は、エラー判定手段１１９ａが、エラー判定に用いる磁気センサＭＳ１〜ＭＳ５を遊技状態に応じて選択するように構成されており、また開閉駆動手段（電磁駆動手段）６６，８６は夫々開放延長状態中、特別利益状態中に作動可能であり、それら特定遊技状態中は磁気センサＭＳ２，ＭＳ３からの検知信号に基づくエラー判定を行わないように構成されているため、開閉駆動手段６６，８６の作動を原因とする誤ったエラー判定を回避しつつ、磁気センサＭＳ１〜ＭＳ５により開閉駆動手段６６，８６の近傍を含む領域を広く監視することが可能である。
【０１０２】
図１７は本発明の第２の実施形態を例示し、第１の実施形態を一部変更して、普通利益状態中は、磁気検知範囲内に開閉駆動手段６６が存在する磁気センサＭＳ２からの検知信号に基づくエラー判定を行わないように構成した例を示している。なお、本実施形態が第１の実施形態と異なるのは磁気検出エラー判定処理（図１７）のＳ３ａのみである。
【０１０３】
図１７に示すように、本実施形態の磁気検出エラー判定処理（図１７）では、ｎ＝２の場合（Ｓ２：Ｙｅｓ）、即ち磁気センサＭＳ２の場合には、普通利益状態中（特定遊技状態中）であること（Ｓ３ａ：Ｙｅｓ）を条件にＳ６の処理をスキップするようになっている。
【０１０４】
これにより、磁気検知範囲内に開閉駆動手段６６が存在する磁気センサＭＳ２の検知信号については、開閉駆動手段６６が作動する普通利益状態中はＳ６の処理で参照されることはないため、開閉駆動手段６６の作動を原因とする誤ったエラー判定を回避できる。
【０１０５】
図１８〜図２１は本発明の第３の実施形態を例示し、第１の実施形態（又は第２の実施形態）を一部変更して、開閉駆動手段６６，８６以外の電磁駆動手段を設けた例を示している。
【０１０６】
図１８に示すように、本実施形態の大入賞ユニット２５ａが第１の実施形態に係る大入賞ユニット２５と異なるのは、入賞検出手段８９の下流側の構造のみである。即ち、大入賞ユニット２５ａは、大入賞口８４に入賞した遊技球を特定領域１４１ａと通常領域１４１ｂとに振り分ける可動式の振り分け部材１４２と、振り分け部材１４２を駆動する振り分け駆動手段１４３と、大入賞口８４に入賞した遊技球を振り分け部材１４２に案内する入賞案内通路１４４と、特定領域１４１ａに流入した遊技球を検出する特定遊技球検出手段１４５ａと、通常領域１４１ｂに流入した遊技球を検出する通常遊技球検出手段１４５ｂとを備えている。
【０１０７】
振り分け部材（可動体）１４２は、振り分け駆動手段１４３によって所定のパターンで左右に往復移動することにより、特定領域１４１ａ側への流入を阻止しつつ通常領域１４１ｂ側へ遊技球を案内する通常案内状態と、通常領域１４１ｂ側への流入を阻止しつつ特定領域１４１ａ側へ遊技球を案内する特定案内状態とに切り替え可能となっている。
【０１０８】
振り分け駆動手段（電磁駆動手段）１４３は、電磁ソレノイドにより構成され、例えば可動鉄心１４３ａを左側に向けた状態で例えば入賞室８７の下側に横向きに配置されており、ＯＮ（励磁）状態のときに可動鉄心１４３ａが例えば右向きに移動する。可動鉄心１４３ａには、例えば振り分け部材（可動体）１４２の一端側が固定されており、振り分け駆動手段１４３がＯＦＦ（非励磁）状態のときには振り分け部材１４２が通常案内状態に保持され、振り分け駆動手段１４３がＯＦＦ（非励磁）状態からＯＮ（励磁）状態に切り替わったとき、可動鉄心１４３ａと共に振り分け部材１４２が右向きに移動して特定案内状態に切り替わるようになっている。なお、特定領域１４１ａ又は通常領域１４１ｂに案内された遊技球は、特定遊技球検出手段１４５ａ又は通常遊技球検出手段１４５ｂに検出された後、遊技盤５の後側に排出される。
【０１０９】
また振り分け駆動手段１４３は、図１９に示すように、開閉駆動手段８６と共に磁気センサＭＳ３の磁気検知範囲内に存在している（図２０参照）。従って、磁気センサＭＳ３は、開閉駆動手段６６だけでなく振り分け駆動手段１４３が励磁されたときにもその磁気検知信号が一定のエラー判定レベルに達してしまう可能性がある。
【０１１０】
また、本実施形態の磁気検出エラー判定処理（図２１）は、第１の実施形態に係る磁気検出エラー判定処理（図１６）に対し、Ｓ５ａが追加されている点のみが異なる。即ち、本実施形態の磁気検出エラー判定処理（図２１）では、ｎ＝３の場合（Ｓ４：Ｙｅｓ）、即ち磁気センサＭＳ３の場合には、特別利益状態中であるか（Ｓ５：Ｙｅｓ）、又は振り分け部材１４２が作動する振り分け作動状態中（特定遊技状態中）であること（Ｓ５ａ：Ｙｅｓ）を条件にＳ６の処理をスキップするようになっている。
【０１１１】
これにより、磁気検知範囲内に開閉駆動手段８６及び振り分け駆動手段１４３が存在する磁気センサＭＳ３の検知信号については、開閉駆動手段８６が作動する特別利益状態中、及び振り分け駆動手段１４３が作動する振り分け作動状態中はＳ６の処理で参照されることはないため、開閉駆動手段８６、振り分け駆動手段１４３の作動を原因とする誤ったエラー判定を回避できる。
【０１１２】
なお、振り分け作動状態の期間全体が特別利益状態の期間に含まれる場合には、第１の実施形態と同じ磁気検出エラー判定処理（図１６）を用いることができる。
【０１１３】
図２２〜図２４は本発明の第４の実施形態を例示し、第１の実施形態を一部変更して、少なくとも一部の磁気センサを、磁気の検知範囲を変更可能な可変磁気センサとした例を示している。以下、本実施形態が第１の実施形態と異なる部分を中心に説明する。
【０１１４】
本実施形態では、図２２に示すように、遊技盤５に４つの磁気センサＭＳ１〜ＭＳ４を配置している。磁気センサＭＳ１，ＭＳ４は、第１の実施形態における磁気センサＭＳ１，ＭＳ４と同様、磁気の検知範囲を変更不可能な磁気センサ（以下、非可変磁気センサという）であり、その配置位置も第１の実施形態の磁気センサＭＳ１，ＭＳ４と同様である。磁気センサＭＳ２，ＭＳ３は可変磁気センサであり、第１の実施形態における非可変磁気センサＭＳ５は本実施形態では配置されていない。
【０１１５】
可変磁気センサＭＳ２，ＭＳ３は、印加電圧に応じて磁気の検知範囲が変化するように構成され、例えばその検知範囲はセンサ位置を中心とする略球形となっており、例えば印加電圧（Ｖ）がＰ１のときの検知範囲（第１検知範囲）Ｔ１の半径（ｍｍ）はｒ１、印加電圧（Ｖ）がＰ２（但し、Ｐ１＜Ｐ２）のときの検知範囲（第２検知範囲）Ｔ２の半径（ｍｍ）はｒ２（但し、ｒ１＞ｒ２）となっている。即ち、可変磁気センサＭＳ２，ＭＳ３への印加電圧（Ｖ）をＰ１からＰ２に上げると、磁気の検知範囲は第１検知範囲Ｔ１からそれよりも狭い第２検知範囲Ｔ２へと変化する。
【０１１６】
また、可変磁気センサＭＳ２，ＭＳ３は、図２２に示す位置に配置されている。即ち、可変磁気センサＭＳ２は、開閉駆動手段６６が第１検知範囲Ｔ１の内側で且つ第２検知範囲Ｔ２の外側となるように例えば普通入賞ユニット２６に装着されている。この場合、開閉駆動手段６６の少なくとも一部が第１検知範囲Ｔ１の内側に存在し、開閉駆動手段６６全体が第２検知範囲Ｔ２の外側に存在するように配置することが望ましい。同様に、可変磁気センサＭＳ３は、開閉駆動手段８６が第１検知範囲Ｔ１の内側で且つ第２検知範囲Ｔ２の外側となるように例えば大入賞ユニット２５に装着されている。この場合、開閉駆動手段８６の少なくとも一部が第１検知範囲Ｔ１の内側に存在し、開閉駆動手段８６全体が第２検知範囲Ｔ２の外側に存在するように配置することが望ましい。
【０１１７】
磁気センサＭＳ１〜ＭＳ４とそれらの磁気検知範囲内に存在する電磁ソレノイドとの対応関係を図２３に示す。また、アウト口３６ａ及びその周辺は、可変磁気センサＭＳ２，ＭＳ３の夫々の第１検知範囲Ｔ１によりカバーされている。
【０１１８】
続いてエラー判定手段１１９ａによって実行される磁気検出エラー判定処理の手順を、図２４に従って具体的に説明する。なお、可変磁気センサＭＳ２，ＭＳ３への印加電圧の初期値をＰ１とする。
【０１１９】
本実施形態の磁気検出エラー判定処理（図２４）では、まず磁気センサＭＳｎ（ｎ＝１〜４）における変数ｎに初期値である１をセットする（Ｓ１）。そして、ｎが最大値（ここでは４）に達するまで（Ｓ７）、ｎに１ずつ加算しつつ（Ｓ８）、磁気センサＭＳｎについて、検知信号が予め定められたエラー判定レベルに達した状態で所定時間継続したか否かの判定を行い（Ｓ６）、検知信号がエラー判定レベルに達した状態で所定時間継続したと判定された場合には（Ｓ６：Ｙｅｓ）、エラー発生時処理手段１１９ｂにより所定のエラー処理を実行する（Ｓ９）。
【０１２０】
なお本実施形態では、この「所定時間」を、第２特別図柄始動手段３３の通常開閉パターンにおける開放時間（所定遊技状態中における開閉駆動手段６６の励磁継続時間）である０．２ｓよりは長く、延長開閉パターンにおける開放時間（特定遊技状態中における開閉駆動手段６６の励磁継続時間）である２ｓよりは十分に短い時間、例えば０．３ｓに設定している。
【０１２１】
また、ｎ＝２の場合（Ｓ２：Ｙｅｓ）、即ち可変磁気センサＭＳ２の場合には、開放延長中（即ち時短状態中又は高確状態中）であること（Ｓ３：Ｙｅｓ）を条件に、印加電圧をＰ２に設定（Ｓ１１ａ）した上でＳ６の処理を実行し、開放延長中でない場合には（Ｓ３：Ｎｏ）、印加電圧をＰ１に設定（Ｓ１１ｂ）した上でＳ６の処理を実行するようになっている。
【０１２２】
これにより、開閉駆動手段６６が通常開閉パターン（０．２ｓ×１回）で作動する通常遊技状態中は可変磁気センサＭＳ２の検知範囲（第１検知範囲Ｔ１）内に開閉駆動手段６６が存在するが、開閉駆動手段６６の作動による磁気検知時間は所定時間（０．３ｓ）未満であるためそれによってエラー処理（Ｓ９）が行われることはなく、また開閉駆動手段６６が延長開閉パターン（２ｓ×３回）で作動する特別遊技状態中は可変磁気センサＭＳ２の検知範囲（第２検知範囲Ｔ２）内に開閉駆動手段６６が存在しないため、開閉駆動手段６６の作動を原因とする誤ったエラー判定を回避できる。なお、磁気センサＭＳ２に関しては開放延長状態が特定遊技状態の一例である。
【０１２３】
また、ｎ＝３の場合（Ｓ４：Ｙｅｓ）、即ち可変磁気センサＭＳ３の場合には、特別利益状態中であること（Ｓ５：Ｙｅｓ）を条件に、印加電圧をＰ２に設定（Ｓ１２ａ）した上でＳ６の処理を実行し、特別利益状態中でない場合には（Ｓ５：Ｎｏ）、印加電圧をＰ１に設定（Ｓ１２ｂ）した上でＳ６の処理を実行するようになっている。これにより、開閉駆動手段８６が作動する特別利益状態中は可変磁気センサＭＳ３の検知範囲（第２検知範囲Ｔ２）内に開閉駆動手段８６が存在しないため、開閉駆動手段８６の作動を原因とする誤ったエラー判定を回避でき、特別利益状態中以外は可変磁気センサＭＳ３の検知範囲を開閉駆動手段８６を含む第１検知範囲Ｔ１に広げて監視することができる。なお、磁気センサＭＳ３に関しては特別利益状態が特定遊技状態の一例である。
【０１２４】
以上、本発明の実施形態について詳述したが、本発明はこれらの実施形態に限定されるものではなく、本発明の趣旨を逸脱しない範囲で種々の変更が可能である。例えば、電磁駆動手段は、電磁ソレノイドに限らず、ステッピングモータ等、非励磁状態から励磁状態への切り替えによって作動し且つその作動によって発生する磁気が磁気センサに影響を及ぼす可能性があるものは全て対象となる。また、電磁駆動手段は、遊技球の入賞や振り分けに関する可動体を駆動するものに限らず、単なる演出用の可動体を駆動する電磁駆動手段も対象となる。
【０１２５】
第１〜第３の実施形態では、一つの電磁駆動手段は一つの磁気センサの磁気検知範囲内にのみ存在する例を示したが、一つの電磁駆動手段が複数の磁気センサの磁気検知範囲内に存在する場合も考えられる。この場合、その電磁駆動手段が作動する特定遊技状態中はそれら複数の磁気センサの何れの検知信号についても、それに基づくエラー判定を行わないようにすればよい。同様に、第４の実施形態の場合に、一つの電磁駆動手段は一つの可変磁気センサの磁気検知範囲内にのみ存在する例を示したが、一つの電磁駆動手段が複数の可変磁気センサの磁気検知範囲内に存在する場合も考えられる。この場合、その電磁駆動手段が作動する特定遊技状態中はそれら複数の可変磁気センサの何れの印加電圧もＰ２に設定することにより検知範囲を第２検知範囲Ｔ２に狭めるようにすればよい。
【０１２６】
可変磁気センサは、検知範囲を３段階以上、或いは略無段階に切り替え可能としてもよい。また、磁気センサの検知範囲の形状は任意であり、例えば略球形の検知範囲を有する非可変磁気センサを用いてもよい。
【０１２７】
また、本発明はパチンコ機に限らず、アレンジボール機、雀球遊技機等の他の遊技機においても同様に実施することが可能である。
【符号の説明】
【０１２８】
５ａ  遊技領域
６３    開閉部材（可動体）
８５    開閉部材（可動体）
６６    開閉駆動手段（電磁駆動手段）
８６    開閉駆動手段（電磁駆動手段）
１１９ａ  エラー判定手段
ＭＳ１    磁気センサ
ＭＳ２    可変磁気センサ
ＭＳ３    可変磁気センサ
ＭＳ４    磁気センサ
Ｔ１      第１検知範囲
Ｔ２      第２検知範囲
【図１】
0006482895.tif 000002
【図２】
0006482895.tif 000003
【図３】
0006482895.tif 000004
【図４】
0006482895.tif 000005
【図５】
0006482895.tif 000006
【図６】
0006482895.tif 000007
【図７】
0006482895.tif 000008
【図８】
0006482895.tif 000009
【図９】
0006482895.tif 000010
【図１０】
0006482895.tif 000011
【図１１】
0006482895.tif 000012
【図１２】
0006482895.tif 000013
【図１３】
0006482895.tif 000014
【図１４】
0006482895.tif 000015
【図１５】
0006482895.tif 000016
【図１６】
0006482895.tif 000017
【図１７】
0006482895.tif 000018
【図１８】
0006482895.tif 000019
【図１９】
0006482895.tif 000020
【図２０】
0006482895.tif 000021
【図２１】
0006482895.tif 000022
【図２２】
0006482895.tif 000023
【図２３】
0006482895.tif 000024
【図２４】
0006482895.tif 000025